(57)【要約】【課題】画質の悪化や画像の視認性の低下を極力生じさせることなく、印刷濃度を低下させる。【解決手段】課金額算出部はトナー消費量に基づいて課金額を算出し、表示部は課金額を表示する。課金額を更に低く抑える場合、濃度設定部はそのときの設定濃度を予め定められた所定値だけ下げて新しい設定濃度を決定する。そして、表示部はトナー削減処理の種類を選択するための画面を表示する。ユーザーがジョブ単位でのトナー削減処理を選択すると、制御部はジョブ単位トナー削減処理へ処理を移行する。ユーザーがページ単位でのトナー削減処理を選択すると、制御部はページ単位トナー削減処理へ処理を移行する。ユーザーが領域単位トナー削減処理を選択すると、制御部は領域単位トナー削減処理へ処理を移行する。【選択図】図３
2017044985.tif 000002
【特許請求の範囲】
【請求項１】
印刷データの印刷濃度を印刷ジョブ単位、ページ単位または領域単位の何れの単位で変更するかの指示入力を受け付ける濃度変更受付部と、
前記濃度変更受付部が前記指示入力を受け付けた場合、そのとき印刷に用いられる印刷濃度よりも低い予め定められた設定濃度を決定する濃度設定部と、
前記濃度変更受付部が前記印刷ジョブ単位で濃度変更を行う指示入力を受け付けた場合、印刷ジョブ毎に当該印刷ジョブが示す印刷データの印刷濃度を前記濃度設定部により設定された設定濃度以下に下げる処理を行い、前記ページ単位で濃度変更を行う指示入力を受け付けた場合、当該設定濃度より高い濃度のページのみ当該設定濃度に下げる処理を行って、他のページはそれまでの印刷濃度を維持し、前記領域単位で印刷濃度変更を行う指示入力を受け付けた場合、各ページにおける写真領域以外の領域の印刷濃度を前記設定濃度に下げ、写真領域はそれまでの印刷濃度を維持する処理を行う濃度変更部と、
記録媒体に画像形成を行う画像形成部と、
前記濃度変更部が変更した印刷濃度に基づいて、前記画像形成部に画像形成を行わせる制御部と、を備えた画像形成装置。
【請求項２】
前記濃度変更部が印刷ジョブ単位で印刷濃度を前記設定濃度に下げる処理を行う場合、前記濃度変更部は前記印刷データから最も印刷濃度の高いページを検出して当該検出されたページの濃度を前記設定濃度に下げる処理を行い、更に当該処理において下げた印刷濃度の量だけ他のページの印刷濃度を下げる処理を行う請求項１に記載の画像形成装置。
【請求項３】
前記濃度変更部が領域単位で印刷濃度を下げる処理を行う場合、前記濃度変更部は、検出された前記写真領域以外の領域において検出された文字のサイズが全て予め定められたサイズ以上であるという条件を満たしている場合に、当該文字の印刷濃度を前記設定濃度に下げる処理を行う請求項１又は請求項２に記載の画像形成装置。
【請求項４】
前記濃度変更部が領域単位で印刷濃度を下げる処理を行う場合、前記濃度変更部は、検出された前記写真領域以外の領域において検出された文字が全て黒であるという条件を満たしている場合に、当該文字の印刷濃度を前記設定濃度に下げる処理を行う請求項１乃至請求項３のいずれかに記載の画像形成装置。
【請求項５】
前記濃度変更部が領域単位で印刷濃度を下げる処理を行う場合、前記濃度変更部は、検出された前記写真領域以外の領域において検出された予め定められた太さ以上の線の印刷濃度を前記設定濃度に下げる処理を行う請求項１乃至請求項４のいずれかに記載の画像形成装置。
【請求項６】
前記設定濃度を任意の値に設定するための設定濃度受付部を更に備え、前記濃度設定部は前記設定濃度受付部が受け付けた指示内容に基づいて前記設定濃度を決定する請求項１乃至請求項５のいずれかに記載の画像形成装置。
【請求項７】
前記濃度変更受付部が領域単位で濃度変更を行う指示入力を受け付けた場合に、濃度変更の対象とする項目の選択入力を受け付ける対象項目受付部を更に備え、前記濃度変更部は前記対象項目受付部が受け付けた項目について印刷濃度を前記設定濃度に下げる処理を行う請求項１乃至請求項６のいずれかに記載の画像形成装置。
【請求項８】
前記対象項目受付部が受け付ける項目の種類は、カラー写真、モノクロ写真、カラー文字、黒文字、カラー線及び黒線である請求項７に記載の画像形成装置。
【請求項９】
前記画像形成部による画像形成時の前記印刷濃度と印字率とに応じてトナー消費量を算出するトナー消費量算出部と、
前記トナー消費量算出部によって算出されたトナー消費量に基づいて、前記画像形成部による画像形成に対する課金額を算出する課金額算出部と、
前記課金額算出部が算出した課金額を表示する表示部とを更に備え、
前記濃度変更部が印刷濃度を変更した後、前記課金額算出部は再度課金額を算出し、前記表示部は当該課金額を表示する請求項１乃至請求項８のいずれかに記載の画像形成装置。
【請求項１０】
前記濃度変更部は、前記対象項目受付部により前記カラー写真、前記カラー文字、又は前記カラー線が前記項目として受け付けられた場合、カラー画像を構成する予め定められた色の濃度を下げる請求項８に記載の画像形成装置。
【請求項１１】
前記濃度変更部は、前記濃度変更受付部に前記領域単位で印刷濃度変更を行う指示入力が受け付けられた場合、前記写真領域を予め定められた倍率だけ縮小する請求項１に記載の画像形成装置。
【請求項１２】
前記濃度変更部は、前記濃度変更受付部に前記領域単位で印刷濃度変更を行う指示入力が受け付けられた場合、前記写真領域以外の領域において検出された文字が全てマンセルチャートＮ３以上であるという条件を満たしている場合に、当該文字の印刷濃度を前記設定濃度に下げる処理を行う請求項４に記載の画像形成装置。
【発明の詳細な説明】
【技術分野】
【０００１】
本発明は、画像形成装置に関し、特に、印刷する際の画像濃度を変更する技術に関するものである。
【背景技術】
【０００２】
課金式の画像形成装置で印刷する場合、従来、課金額は印刷枚数に応じて算出されることが一般的であった。しかし、昨今、印刷濃度（トナー消費量）に応じて課金額を算出する方式が知られている。
【０００３】
印刷濃度に応じて課金額が算出される場合、印刷コストを下げるために、ユーザーによっては印刷濃度を調整する等してトナー消費量を減らし、課金額を下げたいという要求がある。
【０００４】
特許文献１には、課金額の上限金額内で印刷が行われるよう画像処理を行う技術について記載されている。また、特許文献２には、印刷ジョブ毎またはページ毎にトナー消費量を算出して表示する技術について記載されている。
【先行技術文献】
【特許文献】
【０００５】
【特許文献１】特開２００７−４３４９４号公報
【特許文献２】特開２０１０−１０２１４０号公報
【発明の概要】
【発明が解決しようとする課題】
【０００６】
課金額を少なくするために印刷濃度を下げる場合、従来は印刷ジョブで指定された印刷データ全体の濃度を均一に下げる処理を行っていた。しかし、印刷データに画像が含まれている場合、濃度を下げると画像の画質は悪化し、また、サイズの小さい文字や細い線は見えづらくなる等、必ずしもユーザーの満足する印刷品質を得られなかった。
【０００７】
本発明は、上記の問題を解決するためになされたもので、画質の悪化や画像の視認性の低下を極力生じさせることなく、印刷濃度を低下させることができるようにすることを目的とする。
【課題を解決するための手段】
【０００８】
本発明における画像形成装置は、印刷データの印刷濃度を印刷ジョブ単位、ページ単位または領域単位の何れの単位で変更するかの指示入力を受け付ける濃度変更受付部と、前記濃度変更受付部が前記指示入力を受け付けた場合、そのとき印刷に用いられる印刷濃度よりも低い予め定められた設定濃度を決定する濃度設定部と、前記濃度変更受付部が前記印刷ジョブ単位で濃度変更を行う指示入力を受け付けた場合、印刷ジョブ毎に当該印刷ジョブが示す印刷データの印刷濃度を前記濃度設定部により設定された設定濃度以下に下げる処理を行い、前記ページ単位で濃度変更を行う指示入力を受け付けた場合、当該設定濃度より高い濃度のページのみ当該設定濃度に下げる処理を行って、他のページはそれまでの印刷濃度を維持し、前記領域単位で印刷濃度変更を行う指示入力を受け付けた場合、各ページにおける写真領域以外の領域の印刷濃度を前記設定濃度に下げ、写真領域はそれまでの印刷濃度を維持する処理を行う濃度変更部と、記録媒体に画像形成を行う画像形成部と、前記濃度変更部が変更した印刷濃度に基づいて、前記画像形成部に画像形成を行わせる制御部と、を備える。
【発明の効果】
【０００９】
この発明によれば、印刷ジョブ単位、ページ単位又は領域単位で、画像形成される画像の種別等に応じて印刷濃度が設定されるため、画質の悪化や画像の視認性の低下を極力生じさせることなく、印刷濃度を低下させることが可能になる。これにより、トナー消費量に応じて印刷料金が課金される課金型の画像形成装置においては、画質の悪化や画像の視認性の低下を極力生じさせることなく、印刷料金（課金額）を下げることが可能になる。
【図面の簡単な説明】
【００１０】
【図１】本発明に係る画像形成装置の内部構成を概略的に示す図である。
【図２】画像形成装置の主要内部構成を示す機能ブロック図である。
【図３】課金型印刷処理の流れを示すフローチャートである。
【図４】ジョブ単位トナー削減処理の流れを示すフローチャートである。
【図５】ページ単位トナー削減処理の流れを示すフローチャートである。
【図６】領域単位トナー削減処理の流れを示すフローチャートである。
【図７】画面例を示した図である。
【図８】画面例を示した図である。
【図９】画面例を示した図である。
【図１０】画面例を示した図である。
【図１１】画面例を示した図である。
【発明を実施するための形態】
【００１１】
以下、本発明を実施するための形態について、図面を参照しながら説明する。図１は、本実施の形態における画像形成装置１の構造を示す正面断面図である。画像形成装置１は、装置本体１１に、操作部４７、画像形成部１２、定着部１３、給紙部１４、原稿給送部６及び原稿読取部５等を備えて構成されている。
【００１２】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。
【００１３】
画像形成装置１が原稿読取動作を行う場合、原稿給送部６により給送されてくる原稿又は原稿載置ガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１４】
画像形成装置１が画像形成動作を行う場合は、原稿読取動作により生成された画像データ又はネットワーク接続されたコンピューター等の外部装置から受信した画像データ又は内蔵ＨＤＤに記憶されている画像データ等に基づいて、画像形成部１２が、給紙部１４から給紙される記録媒体としての記録紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ及びブラック用の画像形成ユニット１２Ｂｋは、それぞれに、画像データを構成するそれぞれの色成分からなる画像に基づいて、帯電、露光及び現像の工程により感光体ドラム１２１上にトナー像を形成し、トナー像を一次転写ローラー１２６により中間転写ベルト１２５上に転写させる。
【００１５】
中間転写ベルト１２５上に転写される各色のトナー画像は、転写タイミングを調整して中間転写ベルト１２５上で重ね合わされ、カラーのトナー像となる。二次転写ローラー２１０は、中間転写ベルト１２５の表面に形成されたカラーのトナー像を、中間転写ベルト１２５を挟んで駆動ローラー１２５ａとのニップ部Ｎにおいて、給紙部１４から搬送路１９０を搬送されてきた記録紙Ｐに転写させる。この後、定着部１３が記録紙Ｐ上のトナー像を熱圧着により記録紙Ｐに定着させる。定着処理の完了したカラー画像形成済みの記録紙Ｐは、排出トレイ１５１に排出される。
【００１６】
給紙部１４は、複数の給紙カセットを備える。制御部１１０（図２）は、操作者による指示で指定されたサイズの記録紙が収容された給紙カセットのピックアップローラー１４５を回転駆動させて、各給紙カセットに収容されている記録紙Ｐをニップ部Ｎに向けて搬送させる。
【００１７】
尚、画像形成装置１において、両面印刷を行う場合は、画像形成部１２より一方の面に画像が形成された記録紙Ｐを、排出ローラー対１５９にニップされた状態とした後、記録紙Ｐを排出ローラー対１５９によりスイッチバックさせて反転搬送路１９５に送り、搬送ローラー対１９により、ニップ部Ｎ及び定着部１３に対して記録紙Ｐの搬送方向上流域に再度搬送する。これにより、画像形成部１２により記録紙の他方の面に画像が形成される。
【００１８】
図２は、画像形成装置１の主要内部構成を示す機能ブロック図である。画像形成装置１は、制御ユニット１００、原稿読取部５、操作部４７、画像メモリー１８、記憶部１４０、画像処理部１５、画像送受信部１６及び画像形成部１２を備えて構成される。
【００１９】
原稿読取部５は、原稿画像を読み取ってデータ化することで画像データを生成する。
【００２０】
操作部４７は、画像形成装置１が実行可能な各種動作及び処理についてユーザーからの指示を受け付けるものである。操作部４７は、表示部４７３を有する。表示部４７３は、ＬＣＤ（Liquid Crystal Display）等で構成された表示画面であり、操作方法や各種メッセージ、操作ボタン等を表示する。一般的にはタッチパネルと一体的に構成されており、表示部４７３に表示された操作ボタンをユーザーが触れることで画像形成装置１を操作することができる。
【００２１】
尚、本実施の形態において、表示部４７３を備える操作部４７は、特許請求の範囲における濃度変更受付部、設定濃度受付部、対象項目受付部に相当する。
【００２２】
画像メモリー１８は、原稿読取部５が読み取ったデータや画像送受信部１６が外部装置から受信したデータ等を一時的に保存する。
【００２３】
記憶部１４０は、画像形成装置１の動作に必要なプログラムやデータを記憶する。
【００２４】
画像処理部１５は、画像メモリー１８が記憶する印刷データに対して、画像圧縮、画質調整、拡大・縮小等の画像処理を施すものであり、濃度変更部１５０を有する。濃度変更部１５０は、後述する課金額算出部１１２が算出した課金額を表示部４７３が表示した後、ユーザーが課金額を下げる指示入力を行ったときに、トナー削減処理を実行する。このトナー削減処理の詳細については後ほど詳しく説明する。なお、この構成に代えて、制御ユニット１００が、濃度変更部１５０を備えるものとしてもよい。
【００２５】
画像送受信部１６は、図略の符号化／復号化部、変復調部及びＮＣＵ（Network Control Unit）を備え、公衆電話回線網を用いてのファクシミリの送信を行うものである。また、ネットワークインターフェースも備え、画像送受信部１６に接続されたＬＡＮ等を介して、ローカルエリア内又はインターネット上のパーソナルコンピューター等の外部装置と種々のデータの送受信を行う。
【００２６】
画像形成部１２は、原稿読取部５が読み取ったデータや画像送受信部１６が外部装置から受信したデータを用紙に画像形成する。なお、本実施形態では、画像形成と印刷の語を同じ意味として用いる。
【００２７】
制御ユニット１００は、ＣＰＵ(Central Processing Unit)、ＲＡＭ、ＲＯＭ及び専用のハードウェア回路等から構成される。制御ユニット１００は、制御部１１０、トナー消費量算出部１１１、課金額算出部１１２及び濃度設定部１１３を備える。
【００２８】
制御部１１０は、画像形成装置１の全体的な動作制御を司る。
【００２９】
トナー消費量算出部１１１は、印刷データに基づいて画像形成部１２により画像形成を行う場合におけるトナー消費量を、当該画像形成時の印刷濃度及び印字率を用いて算出する。印字率とは、例えば、用紙における画像形成可能領域面積に対する実際に画像形成される領域面積の割合、又は、用紙面積に対する印刷画像の割合である。印字率が高いほど用紙に対する印刷面積が大きいことを示し、印字率が低いほど用紙に対する印刷面積が小さいことを示す。
【００３０】
課金額算出部１１２は、トナー消費量算出部１１１が算出したトナー消費量に応じた課金額を算出する。課金額はトナー消費量が多いほど課金額が高く、トナー消費量が低いほど課金額は低くなるよう、予め設定されている。
【００３１】
濃度設定部１１３は、画像形成部１２による画像形成に用いる印刷濃度を決定する。具体的には、濃度設定部１１３は、まず印刷ジョブを受けた直後は設定濃度をデフォルトに設定する。このデフォルトの設定濃度は、濃度設定部１１３に、予め設定されていてもよいし、画像形成装置１の管理者等が設置時に任意の濃度に設定するようにしてもよい。
【００３２】
更に、濃度設定部１１３は、課金額算出部１１２が算出した課金額を表示部４７３が表示した後、ユーザーが課金額を下げる指示入力を行ったとき、そのときの設定濃度を、予め定められた一定値だけ下げて新しい設定濃度を再決定する。後述する濃度変更部１５０は、この再決定された設定濃度に基づいて印刷データの濃度を変更する処理を行う。
【００３３】
図３は、印刷データに基づく画像形成時のトナー消費量に応じて印刷にかかる料金を課金する課金型印刷処理の流れを示すフローチャートである。制御部１１０が印刷ジョブを受け付けると、トナー消費量算出部１１１は印刷データのトナー消費量を算出し、課金額算出部１１２はトナー消費量に基づいて課金額を算出する（ステップＳ１１）。そして、制御部１１０は、表示部４７３に、図７の画面例５１に示すように課金額を表示させる（ステップＳ１２）。
【００３４】
ユーザーは、表示された課金額で印刷を行いたい場合、画面例５１の中のいいえボタン６２を押下する（ステップＳ１３；ＮＯ）。制御部１１０が、表示部４７３のタッチパネル機能を介して、いいえボタン６２の押下を認識すると、制御部１１０は、画像形成部１２に、初期の設定濃度で印刷データの印刷を実行させる（ステップＳ２０）。この後、制御部１１０は処理を終了させる。
【００３５】
ユーザーが、課金額を低く抑えたいとき、つまり使用するトナー量を削減して課金額を下げたいとき、ユーザーは、はいボタン６１を押下する（ステップＳ１３；ＹＥＳ）。制御部１１０が、はいボタン６１の押下を認識すると、濃度設定部１１３は、このときに設定されている印刷濃度を、予め定められた一定値だけ下げて新しい設定濃度を決定する。そして、表示部４７３は、図８の画面例５２に示すようにトナー削減処理の方法を選択するための画面を表示する（ステップＳ１４）。
【００３６】
ユーザーがジョブ単位でのトナー削減処理を示すラジオボタン７１を選択してＯＫボタン６３を押下すると（ステップＳ１５；ジョブ）、制御部１１０はジョブ単位トナー削減処理へ処理を移行する（ステップＳ１６）。また、ユーザーがページ単位でのトナー削減処理を示すラジオボタン７２を選択してＯＫボタン６３を押下すると（ステップＳ１５；ページ）、制御部１１０はページ単位トナー削減処理へ処理を移行する（ステップＳ１７）。また、ユーザーが領域単位トナー削減処理を示すラジオボタン７３を選択してＯＫボタン６３を押下すると（ステップＳ１５；領域）、制御部１１０は領域単位トナー削減処理へ処理を移行する（ステップＳ１８）。
【００３７】
図４は、Ｓ１６に示したジョブ単位トナー削減処理の流れを示すフローチャートである。まず濃度変更部１５０は、印刷ジョブの対象である印刷データの中から濃度が最も高いページを検出し、そのページの濃度を設定濃度まで下げる（ステップＳ２１）。
【００３８】
更に、濃度変更部１５０は、ステップＳ２１において濃度が最も高いページを設定濃度まで下げたときと同じ濃度量だけ他のページの濃度を下げる（ステップＳ２２）。つまり、濃度変更部１５０は、濃度変更前において濃度が最も高いページの濃度と設定濃度の差分だけ、他のページの濃度を下げる。こうすることで、印刷ページ全体の濃度を均一に下げることができる。
【００３９】
尚、上記では、ステップＳ２１において濃度変更部１５０は、印刷データの中の最も濃度の高いページを検出するとしたが、カラー印刷であって最も濃度の高いページを検出することとしてもよい。
【００４０】
そして制御部１１０はジョブ単位トナー削減処理を終了し、課金型印刷処理のステップＳ１９へ処理を移行する。課金額算出部１１２は印刷データの課金額を再計算し（ステップＳ１９）、制御部１１０は、表示部４７３に、図９の画面例５３に示すように再計算された課金額を表示させる（ステップＳ１２）。
【００４１】
図９では、一例として、トナー削減処理後の課金額が２５０円の場合を示している。これは、トナー削減処理をしたことでトナー削減処理前よりトナー消費量が低下し、課金額３００円から２５０円に減額されたことを示している。更に課金額を下げたい場合、ユーザーは、はいボタン６４を押下する（ステップＳ１３；ＹＥＳ）。制御部１１０が、はいボタン６４の押下を認識すると、濃度設定部１１３は、そのときの設定濃度を予め定められた一定値だけ下げて、新しい設定濃度を決め直す。そして、制御部１１０は、表示部４７３に、図８の画面例５２に示すように、トナー削減処理の方法を選択するための画面を表示させることで、ユーザー所望のトナー削減処理を繰り返す（ステップＳ１４）。
【００４２】
表示された課金額で印刷を行いたい場合、ユーザーは画面例５１の中のいいえボタン６５を押下する（ステップＳ１３；ＮＯ）。制御部１１０が、いいえボタン６５の押下を認識すると、画像形成部１２はトナー削減処理によって濃度が変更された印刷データの印刷を実行する（ステップＳ２０）。そして制御部１１０は処理を終了する。
【００４３】
次に、Ｓ１７に示したページ単位トナー削減処理について説明する。図５は、ページ単位トナー削減処理の流れを示すフローチャートである。ページ単位トナー削減処理では、まず濃度変更部１５０は、変数ｉに１を代入する（ステップＳ３１）。この変数ｉは整数を示し、印刷ジョブの示す印刷データのページ番号を表すものである。
【００４４】
次に、濃度変更部１５０はｉページ目、即ち１ページ目の濃度が設定濃度より上か否かを判断する（ステップＳ３２）。設定濃度以下である場合（ステップＳ３２；ＮＯ）、濃度変更部１５０はステップＳ３４へ処理を移行する。設定濃度より上である場合（ステップＳ３２；ＹＥＳ）、濃度変更部１５０は１ページ目の濃度を設定濃度まで下げる（ステップＳ３３）。
【００４５】
そして濃度変更部１５０は変数ｉの示すページが最後のページか否かを判断する（ステップＳ３４）。最後のページである場合（ステップＳ３４；ＹＥＳ）、濃度変更部１５０はページ単位トナー削減処理を終了し、課金型印刷処理のステップＳ１９へ処理を移行する。なお、濃度変更部１５０は、上記設定濃度以下のページはそれまでの印刷濃度を維持しておく。
【００４６】
濃度変更部１５０は、最後のページではない場合（ステップＳ３４；ＮＯ）、変数ｉに１を加算し（ステップＳ３５）、ステップＳ３２へ処理を移行する。つまり、濃度変更部１５０は、各ページについてステップＳ３２とＳ３３の処理を繰り返す。尚、課金型印刷処理のステップＳ１９以降の処理については、上記したとおりである。
【００４７】
このように、設定濃度より濃度の高いページのみ濃度を下げることにより、トナー消費量を下げ、且つ元々濃度の低いページ（設定濃度以下のページ）の濃度が更に低くなることを防いで文字や画像が認識しにくくなること避けることができる。
【００４８】
次に、Ｓ１８に示した領域単位トナー削減処理について説明する。図６は領域単位トナー削減処理の流れを示すフローチャートである。領域単位トナー削減処理では、まず濃度変更部１５０は、変数iに１を代入する（ステップＳ４１）。
【００４９】
次に、濃度変更部１５０はｉページ目、即ち１ページ目から写真領域以外の領域を検出する（ステップＳ４２）。つまり文字や表等を含む領域のことである。
【００５０】
そして濃度変更部１５０が写真領域以外の領域を検出した場合（ステップＳ４３；ＹＥＳ）、濃度変更部１５０は検出された写真領域以外の領域に含まれる文字のサイズが全て閾値以上であるか否かを判断する（ステップＳ４４）。例えば、サイズの小さい文字の濃度を下げると文字が読みにくくなる。このため、濃度変更部１５０は、写真領域以外の領域の文字が全て閾値以上である場合（ステップＳ４４；ＹＥＳ）その領域の濃度を設定濃度に下げる処理を行う（ステップＳ４５）。
【００５１】
尚、写真領域以外の領域が独立して複数検出された場合は、各領域に対してステップＳ４４とＳ４５を繰り返す。
【００５２】
なお、濃度変更部１５０は、写真領域と、写真領域以外の領域であって文字が全て閾値よりも小さい領域は、それまでの印刷濃度を維持しておく。
【００５３】
ここで、濃度を下げるか否かの基準となる文字サイズの閾値は設計者が定めた工場出荷時の値を用いてもよいし、画像形成装置１の設置後に画像形成装置１の管理者やユーザーが所望のサイズに設定できるようにしてもよい。また、写真領域以外の領域にある文字のサイズが全て閾値以上でなくてもよく、例えば、予め定められた割合以上の文字が閾値以上のサイズである場合に濃度を設定濃度に下げることとしてもよいし、閾値以上のサイズの文字の濃度だけを設定濃度に下げることとしてもよい。
【００５４】
設定濃度より高い濃度であっても、黄色等の文字は識別しづらく、濃度が下がることによって更に視認性が悪化してしまう。そこで、写真領域以外の領域の文字の全てが閾値以上のサイズの文字で且つ黒い文字である場合にのみ設定濃度に下げるという条件を加えてもよい。また、サイズも太さも閾値以上の文字は中抜き処理をするようにしてもよい。
【００５５】
次に、濃度変更部１５０はｉページ目の写真領域以外の領域に閾値以上の太さの線があるか否かを検出する（ステップＳ４６）。ここで線とは、文字の下線、枠線、矢印、表の罫線等のことである。太さのある線は、濃度を下げて印刷しても識別しやすい。そこで、濃度変更部１５０は、閾値以上の太さの線の濃度を設定濃度に下げる（ステップＳ４７）。逆に、細い線の濃度を下げると識別しにくくなるため、濃度変更部１５０は、そのような線の濃度は変更しない。
【００５６】
尚、線の太さの閾値は設計者が定めた工場出荷時の値を用いてもよいし、画像形成装置１の設置後に画像形成装置１の管理者やユーザー等が所望の太さを設定できるようにしてもよい。また、閾値以上の太さの線で且つ黒い線である場合にのみ濃度を下げるという条件を加えてもよい。
【００５７】
そして濃度変更部１５０は変数ｉの示すページが最後のページか否かを判断する（ステップＳ４８）。最後のページである場合（ステップＳ４８；ＹＥＳ）、濃度変更部１５０は領域単位トナー削減処理を終了し、課金型印刷処理のステップＳ１９へ処理を移行する。最後のページではない場合（ステップＳ４８；ＮＯ）、濃度変更部１５０は変数ｉに１を加算し（ステップＳ４９）、ステップＳ４２へ処理を移行する。課金型印刷処理のステップＳ１９以降の処理については、上記したとおりである。
【００５８】
このように、サイズの大きい文字と下線や罫線等に使われた太い線を濃度を下げる対象とすることで、写真等の中間調を用いた画像の濃度を下げることなく、つまり写真の印刷品質を下げることなく、トナー消費量を削減することができる。
【００５９】
また、濃度変更部１５０は、写真領域以外の領域において検出された文字が全てマンセルチャートN３以上であるという条件を満たしている場合に、当該文字の印刷濃度を上記設定濃度に下げる処理を行うようにしてもよい。この場合、濃度変更部１５０は、写真領域以外の領域において検出された文字が全てマンセルチャートＮ３以上であるという条件を満たさない場合には、当該文字の印刷濃度を上記設定濃度に下げる処理は行わないようにする。
【００６０】
なお、上記各実施形態では、濃度変更部１５０は、写真領域以外の領域に対して濃度変更処理を行っているが、これに加えて、写真領域については予め定められた倍率（例えば、操作部４７を介してユーザーにより指定された倍率）だけ縮小する処理を行うようにしてもよい。
【００６１】
尚、本発明は上記実施の形態の構成に限られず種々の変形が可能である。例えば、トナー削減処理を行う際に用いる設定濃度は濃度設定部１１３がそのときの設定濃度から予め定められた一定値だけ下げて新しい設定濃度を決定するが、ユーザーが任意で設定濃度を決めてもよい。
【００６２】
具体的に説明する。課金型印刷処理におけるステップＳ１３において、制御部１１０が、はいボタン６１の押下を認識すると、制御部１１０は、表示部４７３に、図８の画面例５２に示すようにトナー削減処理の種類を選択するための画面を表示させる。その後、制御部１１０は、表示部４７３に、図１０の画面例５４に示すような設定濃度の選択画面を表示させる。ユーザーはプルダウンリスト８１から所望の設定濃度を選択し、ＯＫボタン６６を押下する。この選択を制御部１１０が受け付けると、濃度設定部１１３は、選択された項目に基づいて新しい設定濃度を決定する。
【００６３】
例えば、ユーザーが「自動設定」を選択した場合、濃度設定部１１３は上記で説明したようにそのときの設定濃度から予め定められた値だけ下げて新しい設定濃度を決定する。ユーザーが「−３」を選択した場合、濃度設定部１１３は、そのときの設定濃度から例えば当該予め定められた値を３倍した値だけ差し引いて新しい設定濃度を決定する。尚、設定濃度のレベルの選択方法はこの限りではない。つまり、濃度設定部１１３は、課金額算出部１１２が算出した課金額を表示部４７３が表示した後、ユーザーが課金額を下げる指示入力を行ったときは、そのときの設定濃度を、当該課金額の下げ幅に応じた値だけ下げて新しい設定濃度を再決定するものであればよい。
【００６４】
また、上記では領域単位トナー削減処理において文字と線を、印刷濃度を下げる対象としたが、ユーザーが印刷濃度を下げる対象を選択できるようにしてもよい。
【００６５】
具体的に説明する。領域単位トナー削減処理のステップＳ４１の直前にて、制御部１１０は、表示部４７３に、図１１の画面例５５を表示する。そしてユーザーは、例えば操作部４７としてのマウスポインターにより、濃度を下げたい項目をチェックし、ＯＫボタン６７を押下する。
【００６６】
図１１では、「文字（黒）」のチェックボックス７４と「線（黒）」のチェックボックス７５が選択されている。これは、濃度変更部１５０が閾値以上のサイズで且つ黒い文字と、太さが閾値以上で且つ黒い線を、濃度を下げる対象とすることを示している。
【００６７】
言い換えると、濃度変更部１５０は、モノクロ写真、カラー写真、カラー文字及びカラー線の濃度は下げない。こうすることで、ユーザーが印刷品質を落としたくない領域の濃度は確保することができる。
【００６８】
濃度変更部１５０は、上記のように上記チェック及びＯＫボタン６７の押下による受付に基づいて黒文字を濃度変更とする他、図１１の画面例５５に表示している各項目のうち所望の項目をチェックしてＯＫボタン６７を押下することによる受付に基づいて、カラー写真、モノクロ写真、カラー文字、カラー線及び黒線を、濃度変更の対象とすることが可能となっている。
【００６９】
なお、濃度変更部１５０は、カラー写真、カラー文字、又はカラー線が上記濃度変更の対象として受け付けられた場合、カラー画像を構成する予め定められた色、例えば、イエロー、マゼンタ、及びシアンの３色共や、特定された一色（マゼンタ、シアン、又はイエロー等）の濃度を下げるようにしてもよい。
【００７０】
一方、ユーザーは、印刷品質が多少落ちてもトナーの削減量を増やしたい、つまり課金額をできるだけ下げたい場合、より多くの項目を選択することで濃度変更部１５０が濃度を下げる対象が多くなり、トナー削減効果が大きくなる。
【００７１】
以上、説明したように、課金型の画像形成装置１において、ユーザーがトナー削減処理の方法を印刷ジョブ単位、ページ単位及び領域単位の中から選択できることで、ユーザーの意図した濃度の下げ方を実行しつつ、課金額を下げることができる。ジョブ単位トナー削減処理は、印刷ジョブが示す印刷データ全体の濃度を均一に下げるため、何れのページも印刷品質が統一される。
【００７２】
ページ単位トナー削減処理は、元々濃度の低いページ（つまり設定濃度以下のページ）の濃度は下げないため、低い濃度が更に低くなり、文字や写真が見えづらくなることを防ぐ。
【００７３】
領域単位トナー削減処理は、濃度を下げてもユーザーの視認性に問題がない条件をもつ領域の濃度だけを下げるため、印刷品質を保ちつつトナーを削減することができる。
【００７４】
なお、濃度変更部１５０が、印刷データの示す画像の中から、上記文字及びそのサイズ、線及びその太さ、写真領域か否か、カラー画像かモノクロ画像か等の判別は、既知の判別方法を用いて実行する。
【００７５】
すなわち、上記実施形態によれば、印刷ジョブ単位、ページ単位又は領域単位で、画像形成される画像の種別等に応じて印刷濃度が設定されるため、画質の悪化や画像の視認性の低下を極力生じさせることなく、印刷濃度を低下させることが可能である。これにより、トナー消費量に応じて印刷料金が課金される課金型の画像形成装置においては、画質の悪化や画像の視認性の低下を極力生じさせることなく、印刷料金（課金額）を下げることが可能になる。
【００７６】
なお、上記実施形態では、図１乃至図１１を用いて上記実施形態により示した構成及び処理は、本発明の一実施形態に過ぎず、本発明を当該構成及び処理に限定する趣旨ではない。
【符号の説明】
【００７７】
１        画像形成装置
１００    制御ユニット
１１０    制御部
１１１    トナー消費量算出部
１１２    課金額算出部
１１３    濃度設定部
１５０    濃度変更部
１２      画像形成部
４７      操作部
４７３    表示部
【図２】
2017044985.tif 000003
【図３】
2017044985.tif 000004
【図４】
2017044985.tif 000005
【図５】
2017044985.tif 000006
【図６】
2017044985.tif 000007
【図７】
2017044985.tif 000008
【図８】
2017044985.tif 000009
【図９】
2017044985.tif 000010
【図１０】
2017044985.tif 000011
【図１１】
2017044985.tif 000012
【図１】
2017044985.tif 000013